(57)【要約】  【課題】  本発明は、立体造形体に関し、別々のパターンのシート体から作られた複数の立体造形物を手早く、且つ、実用上支障のない程度にしっかりと連結し得る立体造形体を提供することを目的とする。【解決手段】  シート状物を折り曲げて複数の立体造形物を形成し、これら複数の立体造形物の各々を連結手段によって連結して構成される一つの立体造形体を有し、前記連結手段は一方に多角形の抜き孔１２を形成し、他方は前記抜き孔１２の形状に相応する多角錐を形成すると共にこの多角錐には前記抜き孔１２の角々近傍の内側に係合する係合片５６、５７、５８、５９、６０を形成して立体造形体を構成する。【選択図】      図１
2006187411.tif 000002
【特許請求の範囲】
【請求項１】
シート状物を折り曲げて複数の立体造形物を形成し、これら複数の立体造形物の各々を連結手段によって連結して構成される一つの立体造形体を有し、前記連結手段は一方に多角形の抜き孔を形成し、他方は前記抜き孔の形状に相応する多角錐を形成すると共に該多角錐には前記抜き孔の角々近傍の内側に係合する係合片を形成してある立体造形体。
【発明の詳細な説明】
【技術分野】
【０００１】
本発明は、立体造形体に関し、例えば、シート状物を折り曲げて形成される指人形のような立体造形体に係る。
【背景技術】
【０００２】
シート状物を設定されている折り目どおりに折り曲げて立体造形体を形成する手法は包装箱などの分野でいろいろ考案されている。なお、関連する技術として、「折り紙式写真付き六面体」が特許文献１に開示されている。
【特許文献１】特開２００２−３３２１６２
【発明の開示】
【発明が解決しようとする課題】
【０００３】
ところで、複雑な形態の立体造形体を一つのパターンのシート体から作り上げるのは難しい。そこで、例えば、指人形を構成する場合、頭部と胴部とを別々のパターンのシート体から作り、これらを連結して作る方が易しい。ところが、連結手法が適切でないと、連結がしっかりせずに離れ易かったり、連結に伴う作業が面倒であったりすると云った不都合があった。
【０００４】
本発明は、前記問題点に鑑み、別々のパターンのシート体から作られた複数の立体造形物を手早く、且つ、実用上支障のない程度にしっかりと連結し得る立体造形体を提供することを目的とする。
【課題を解決するための手段】
【０００５】
上記の課題を解決するために本発明では、以下のような構成を採用した。
すなわち、シート状物を折り曲げて複数の立体造形物を形成し、これら複数の立体造形物の各々を連結手段によって連結して構成される一つの立体造形体を有し、前記連結手段は一方に多角形の抜き孔を形成し、他方は前記抜き孔の形状に相応する多角錐を形成すると共に該多角錐には前記抜き孔の角々近傍の内側に係合する係合片を形成して立体造形体を構成する。
【発明の効果】
【０００６】
本発明の立体造形体は、製作が容易であり、複数の立体造形物の連結を手早に行うことができ、且つ、係合片の作用により複数の立体造形物の連結が離脱し難くなる。
【発明を実施するための最良の形態】
【０００７】
以下、図面を参照しながら指人形を例に本発明の実施形態を説明する。
図１（ａ）は指人形の頭部を構成するためのパターンを示す平面図であり、図１（ｂ）は指人形の胴部を構成するためのパターンを示す平面図である。材料は紙、厚紙、プラスチックフィルムその他のシート状物を用いることができる。
【０００８】
図１（ａ）において、頭部片６８の中央部には基片１を設けてあり、この基片１の下辺には下蓋部の一部となる台形状片２を連接させてある。さらに、この台形状片２の下辺は五角形の底面片３の一辺に連通しており、この底面片３の残りの各辺からは前記台形状片２と同様な台形状片４、５、６、７が延び出している。これらの台形状片４、５、６、７の先端部には舌片８、９、１０、１１をそれぞれ形成してある。そして、前記底面片３の中央部には五角形の抜き孔１２を穿設してある。
【０００９】
一方、前記基片１の上辺側にも同様の構成、即ち、台形状片１３、１４、１５、１６、１７舌片１８、１９、２０、２１及び天面片２２を形成してあり、この天面片には抜き孔を穿設していない。
【００１０】
前記基片１の左右両側辺は側片     ２３、２４、２５、２６に連通しており、これら側片２３、２４、２５、２６には代片２７、２８、２９、３０、３１、３２、３３、３４と切れ目３５、３６、３７、３８、３９、４０、４１、４２を形成してある。そして、前記側片２５の左側辺には舌片４３を形成してあり、前記側片２６の右側辺には代片４４と切り目４５を形成してある。
【００１１】
図１（ｂ）において、略扇形の胴部片４６は五つの区分片４７、４８、４９、５０、５１に区分線５２、５３、５４、５５によって区分してあり、前記各区分線５２、５３、５４、５５の上方部は後記する係合片56、57、58、59、60が形成されるようやや段差を付けて切断線（段差部分から始まり上端に貫ける）６１、６２、６３、６４を設けてある。また、前記区分片５１の右側辺には舌片６５ａ、６５ｂを形成してあり、前記区分片４７の左側辺には前記舌片６５ａ、６５ｂを受け入れる切り目６６ａ、６６ｂを形成してあり、且つ、舌片６７を形成してある。
【００１２】
而して、指人形の胴部である立体造形物を形成するには、先ず、前記区分線５２、５３、５４、５５に従って前記胴部片４６を折り曲げる。次に、前記舌片６７の外面を前記区分片５１の内面に当接させ、次いで、前記舌片６５ａ、６５ｂを前記切り目６６ａ、６６ｂに差し込む。こうすることによって五角錐の指人形の胴部が出来上がる。
【００１３】
次に、指人形の頭部である立体造形物を形成するには、前記頭部片６８の基片、側片及び代片４４を除く各代片を隣接する境界部にて折り曲げる。次いで、前記代片４４の外面を前記側片２５の内面に当接させ、次に、前記舌片４３を前記切り目４５に差し込む。次いで、前記各台形状片を隣接する前記基片１及び前記底面片３若しくは前記天面片２２の境界部にてそれぞれ折り曲げる。そして、前記舌片８を前記切れ目３８に、前記舌片９を前記切れ目４２に、前記舌片１０を前記切れ目４０に、前記舌片１１を前記切れ目３６に、前記舌片１８を前記切れ目３５に、前記舌片１９を前記切れ目３９に、前記舌片２０を前記切れ目４１に、前記舌片２１を前記切れ目３７にそれぞれ各代片の外面側から差し込む。このようにして五角筒の上に天面片を有する五角錐が、下に底面片を有する五角錐が位置する形態の指人形が出来上がる。
【００１４】
指人形である立体造形体を形成するには、前記五角錐の指人形の胴部における先端部を前記指人形の頭部の前記抜き孔１２に臨ませ、そのまま押し込む。すると、前記切断線６１、６２、６３、６４等の段差部が係合片５６、５７、５８、５９、６０の役割を果たし、
これらが前記底面片３の内側に係合して、前記胴部が前記頭部から離脱し難くなり、連結手段の役を十分に果たすようになる。そして、連結に伴う作業時間はほとんど必要ないほどの短時間で済む。なお、出来上がった指人形は綿状に解繊した紙等を塗着してその上に絵の具で装飾模様を描いて人形らしく設えて利用する。指は前記五角錐の胴部の内部に挿入する。前記実施形態においては前記抜き孔１２や前記胴部片４６から作られる胴部の形状は五角（五角形、五角錐）としているが、四角、六角、七角、八角その他の多角にすることもできる。また、二つの立体造形物を連結して一つの立体造形体に構成する場合に限らず、三つ以上の複数の立体造形物を連結して一つの立体造形体に構成する場合であっても本発明を適用することができる。
【図面の簡単な説明】
【００１５】
【図１】（ａ）は指人形の頭部を構成するためのパターンを示す平面図である。          （ｂ）は指人形の胴部を構成するためのパターンを示す平面図である。
【符号の説明】
【００１６】
１    基片
２    台形状片
３    底面片
４     台形状片
５     台形状片
６     台形状片
７     台形状片
８     舌片
９     舌片
１０     舌片
１１       舌片
１２    抜き孔
１３    台形状片
１４    台形状片
１５    台形状片
１６    台形状片
１７    台形状片
１８    舌片
１９     舌片
２０     舌片
２１     舌片
２２     天面片
２３     側片
２４     側片
２５     側片
２６     側片
２７     代片
２８     代片
２９     代片
３０     代片
３１     代片
３２     代片
３３     代片
３４     代片
３５     切れ目
３６     切れ目
３７     切れ目
３８     切れ目
３９     切れ目
４０     切れ目
４１     切れ目
４２     切れ目
４３     舌片
４４     代片
４５     切り目
４６     胴部片
４７     区分片
４８     区分片
４９     区分片
５０     区分片
５１     区分片
５２     区分線
５３     区分線
５４     区分線
５５     区分線
５６     係合片
５７     係合片
５８     係合片
５９     係合片
６０     係合片
６１     切断線
６２     切断線
６３     切断線
６４     切断線
６５ａ   舌片
６５ｂ   舌片
６６ａ   切り目
６６ｂ   切り目
６７     舌片
６８     頭部片
【図１】
2006187411.tif 000003